(57)【要約】【課題】担当作業計画の着手時期に関する情報を的確に管理者に提供することができる生産管理システム、生産管理用プログラム及び生産管理方法を提供すること。【解決手段】前記生産管理システム１は、前記作業計画の実績を示す作業実績データの入力を受け付け、記憶した前記生産計画データと、受け付けた前記作業実績データと、に基づいて、所定の時期において着手予定となっている作業計画を表すデータと、前記作業計画の着手可否を表すデータと、を演算して出力する。【選択図】図３
2008159000.tif 000002
【特許請求の範囲】
【請求項１】
複数の作業計画の着手予定時期を表すデータを含んで構成し、生産計画を表す生産計画データを記憶する手段を備える生産管理システムであって、
前記作業計画の実績を示す作業実績データの入力を受け付ける手段と、
記憶した前記生産計画データと、受け付けた前記作業実績データと、に基づいて、所定の時期において着手予定となっている作業計画を表すデータと、前記作業計画の着手可否を表すデータと、を演算して出力する手段を備える生産管理システム。
【請求項２】
前記出力する手段は、前記着手可否を表すデータを、着手可否を表すシンボルとして表示する請求項１に記載の生産管理システム。
【請求項３】
前記作業計画の作業の性質を表す作業計画分類データを記憶する手段を更に備え、
前記出力する手段は、前記着手予定となっている作業計画を表すデータと共に、前記着手予定となっている作業計画の作業計画分類データを出力する手段と、を更に備える請求項１又は請求項２に記載の生産管理システム。
【請求項４】
前記生産計画において所定の作業計画よりも前に完了予定となっている前作業計画に対する優先順位を表すデータの入力を受け付ける手段を更に備え、
前記出力する手段は、受け付けた前記優先順位を表すデータを、所定の時期において前記前作業計画が着手予定となった場合に、着手予定となっている前記前作業計画を表すデータ及び前記前作業計画の着手可否を表すデータと共に出力する請求項１から請求項３のいずれかに記載の生産管理システム。
【請求項５】
着手済の作業計画を示すデータの入力を受け付ける手段を更に備え、
前記出力する手段は、受け付けた前記着手済の作業計画を示すデータに基づいて、着手済の在庫数量を表すデータを演算し、更に、使用可能な在庫数量を表すデータを、全在庫数量から前記着手済の在庫数量を減じることにより算出し、
記憶した前記生産計画データと、受け付けた前記作業実績データと、算出した前記使用可能な在庫数量を表すデータと、に基づいて、所定の時期において着手予定となっている作業計画を表すデータと、前記作業計画の着手可否を表すデータと、を演算して出力（表示）する請求項１から請求項４のいずれかに記載の生産管理システム。
【請求項６】
所定の期間において作業を実施すべき時間を指定する目標作業消化時間を表すデータの入力を受け付ける手段を更に備え、
前記出力（表示）する手段は、受け付けた前記目標作業消化時間を表すデータに基づいて、前記生産計画において前記所定の期間に着手予定となる作業計画について、指定された前記目標作業消化時間を満足するように再演算を行い、前記所定の時期において着手予定となっている作業計画を表すデータと、前記作業計画の着手可否を表すデータと、を演算して出力する請求項１から請求項５のいずれかに記載の生産管理システム。
【請求項７】
複数の作業計画の着手予定時期を表すデータを含んで構成し、生産計画を表す生産計画データを記憶する手段を備える生産管理システムが生産管理を行う方法であって、
前記作業計画の実績を示す作業実績データの入力を受け付けるステップと、
記憶した前記生産計画データと、受け付けた前記作業実績データと、に基づいて、所定の時期において着手予定となっている作業計画を表すデータと、前記作業計画の着手可否を表すデータと、を演算して出力するステップとを含む方法。
【請求項８】
複数の作業計画の着手予定時期を表すデータを含んで構成し、生産計画を表す生産計画データを記憶する手段を備える生産管理システムに生産管理を行わせるプログラムであって、
前記作業計画の実績を示す作業実績データの入力を受け付けるステップと、
記憶した前記生産計画データと、受け付けた前記作業実績データと、に基づいて、所定の時期において着手予定となっている作業計画を表すデータと、前記作業計画の着手可否を表すデータと、を演算して出力するステップとを実行させるプログラム。
【発明の詳細な説明】
【技術分野】
【０００１】
本発明は、生産管理システム、生産管理用プログラム及び生産管理方法に関する。
【背景技術】
【０００２】
従来、企業の生産計画遂行を目的として、様々な手法が提案されてきた。例えば、ＭＲＰ（資材所要量計画；Ｍａｔｅｒｉａｌ  Ｒｅｓｏｕｒｃｅ  Ｐｌａｎｎｉｎｇ）の手法によれば、顧客からの受注や需要予測に合わせて生産計画を作成し、生産設備や要員の割り当て、部品の調達等の計画を部品表等に基づいて的確に行うことができる。
【０００３】
具体的には、特許文献１によれば、生産計画を実行した品目につき、現実の絶対実績値およびこれとは別の概念の仮想実績値をそれぞれの項目に入力して、この入力された絶対実績値で在庫データを更新したり、入力された仮想実績値で計画の消し込み処理を行なったりすることにより、当該品目の在庫量と真の実行状況を正確にそして直截に把握することを可能にし、また当該品目に対するその後の生産計画を円滑・効率的に実行することができる。
【特許文献１】特願平３−３３９７８３号公報
【発明の開示】
【発明が解決しようとする課題】
【０００４】
しかしながら、各生産現場においては、様々な理由で生産計画どおりに担当工程（作業計画）に着手できないことが起こり得る。
【０００５】
具体的には、例えば、担当工程（作業計画）の前に完了すべき工程（作業計画）の完了が遅延したり、必要な資材が不足したり、生産設備の故障や要員の休暇計画の変更が発生したりすることによって、担当工程（作業計画）に着手できないような状態が起こり得る。
【０００６】
そこで、各生産現場の管理者は、このような状況の変化を的確に把握して担当工程（作業計画）の着手時期を迅速に調整する必要がある。ところが、特許文献１の技術によっても、このような状況の変化に応じて管理者に担当工程（作業計画）の着手時期に関する情報を的確に提供することはできない。
【０００７】
更に、管理者は、担当工程（作業計画）の着手時期を調整する際に、効率を上げるために同時に着手すべき工程（作業計画）を抽出したり、複数の着手可能な工程（作業計画）の中から、より優先して着手すべき工程（作業計画）を判断したり、着手前に必要な資材の確保を的確に行ったりする必要がある。また、予め設定された生産計画どおりに担当工程（作業計画）を実施すると、作業量の繁閑差が大きくなり、要員の勤務スケジュールに無理や無駄が生じる場合には、生産計画の遂行に影響しない範囲で所定の期間において作業を実施すべき時間を指定して作業量を平準化することも要求される。
【０００８】
本発明は、このような課題を解消するために、担当工程（作業計画）の着手時期に関する情報を的確に管理者に提供することができる生産管理システム、生産管理用プログラム及び生産管理方法を提供することを目的とする。更に、本発明は、管理者が、担当工程（作業計画）の着手時期を調整する際に、効率を上げるために同時に着手すべき工程（作業計画）を抽出するために必要な情報を管理者に提供したり、複数の着手可能な工程（作業計画）の中から、より優先して着手すべき工程（作業計画）を判断したり、着手前に必要な資材の確保を的確に行ったりするために必要な情報を的確に管理者に提供することができる生産管理システム、生産管理用プログラム及び生産管理方法を提供することを目的とする。更に、本発明は、予め設定された生産計画どおりに担当工程（作業計画）を実施すると、作業量の繁閑差が大きくなり、要員の勤務スケジュールに無理や無駄が生じる場合には、生産計画の遂行に影響しない範囲で所定の期間において作業を実施すべき時間を指定して作業量を平準化するための情報を的確に管理者に提供することができる生産管理システム、生産管理用プログラム及び生産管理方法を提供することを目的とする。
【課題を解決するための手段】
【０００９】
本発明は具体的には以下のようなものを提供する。
【００１０】
（１）  複数の作業計画の着手予定時期を表すデータを含んで構成し、生産計画を表す生産計画データを記憶する手段を備える生産管理システムであって、
前記作業計画の実績を示す作業実績データの入力を受け付ける手段と、
記憶した前記生産計画データと、受け付けた前記作業実績データと、に基づいて、所定の時期において着手予定となっている作業計画を表すデータと、前記作業計画の着手可否を表すデータと、を演算して出力（表示）する手段を備える生産管理システム。
【００１１】
本発明のこのような構成によれば、前記生産管理システムは、前記作業計画の実績を示す作業実績データの入力を受け付け、記憶した前記生産計画データと、受け付けた前記作業実績データと、に基づいて、所定の時期において着手予定となっている作業計画を表すデータと、前記作業計画の着手可否を表すデータと、を演算して出力（表示）する。
【００１２】
このことにより、前記生産管理システムは、入力を受け付けた作業実績データに応じて、着手予定となっている作業計画が着手可能か否かの情報を管理者に提供することができる。
【００１３】
その結果、前記管理者は、作業実績データを入力することによって、着手予定となっている作業計画が本当に着手可能なのか否かを的確に認識することができる。
【００１４】
このように、本発明によれば、前記管理者は、担当作業計画の前作業計画の完了が遅延したり、必要な資材が不足したり、生産設備の故障や要員の休暇計画の変更が発生したりすることによって、担当作業計画に着手できないような状態が発生した場合に、担当作業計画の着手可否状況を的確に把握することができる。
【００１５】
（２）  前記出力（表示）する手段は、前記着手可否を表すデータを、着手可否を表すシンボルとして表示する（１）に記載の生産管理システム。
【００１６】
本発明のこのような構成によれば、前記生産管理システムは、前記着手可否を表すデータを、着手可否を表すシンボルとして表示する。
【００１７】
このことにより、前記生産管理システムは、前記着手可否を表すシンボルによって、前記管理者に着手可否状況を表示することができる。具体的には、例えば、前記生産管理システムは、着手可能である場合に「○」を表示し、着手不可能である場合に「×」を表示し、一部着手可能である場合に「△」を表示する。或いは、前記生産管理システムは、着手可能である場合に青色のシンボル（例えば○）を表示し、着手不可能である場合に赤色のシンボル（例えば×）を表示し、一部着手可能である場合に黄色のシンボル（例えば△）を表示する。
【００１８】
その結果、表示を見た前記管理者は、着手可否状況を直感的に把握することができる。
【００１９】
（３）  前記作業計画の作業の性質を表す作業計画分類データを記憶する手段を更に備え、
前記出力（表示）する手段は、前記着手予定となっている作業計画を表すデータと共に、前記着手予定となっている作業計画の作業計画分類データを出力（表示）する手段と、を更に備える（１）又は（２）に記載の生産管理システム。
【００２０】
本発明のこのような構成によれば、前記生産管理システムは、前記着手予定となっている作業計画を表すデータと共に、前記着手予定となっている作業計画の作業計画分類データを出力（表示）する。
【００２１】
このことにより、前記生産管理システムは、管理者に、前記着手予定となっている作業計画に関する情報を提供すると共に、前記着手予定となっている作業計画の作業計画分類に関する情報を提供することができる。
【００２２】
その結果、前記管理者は、効率を上げるために、同時に着手すべき作業計画を抽出するために必要な情報として、提供された作業計画分類に関する情報を使用することができる。
【００２３】
（４）  前記生産計画において所定の作業計画よりも前に完了予定となっている前作業計画に対する優先順位を表すデータの入力を受け付ける手段を更に備え、
前記出力（表示）する手段は、受け付けた前記優先順位を表すデータを、所定の時期において前記前作業計画が着手予定となった場合に、着手予定となっている前記前作業計画を表すデータ及び前記前作業計画の着手可否を表すデータと共に出力（表示）する（１）から（３）のいずれかに記載の生産管理システム。
【００２４】
本発明のこのような構成によれば、前記生産管理システムは、前記生産計画において所定の作業計画よりも前に完了予定となっている前作業計画に対する優先順位を表すデータの入力を受け付け、受け付けた前記優先順位を表すデータを、所定の時期において前記前作業計画が着手予定となった場合に、着手予定となっている前記前作業計画を表すデータ及び前記前作業計画の着手可否を表すデータと共に出力（表示）する。
【００２５】
このことにより、前記生産管理システムは、前作業計画が着手予定となった場合に、着手予定となっている前記前作業計画を表すデータ及び前記前作業計画の着手可否を表すと共に優先順位を表すことができる。具体的には、例えば、第１位の優先順位を表す「優先１」や第２位の優先順位を表す「優先２」等を表示する。或いは、「緊急対応要」、「急げ」等の優先順位を上げてほしい旨を表すメッセージを表示してもよい。
【００２６】
その結果、前記前作業計画の管理者は、着手可能な担当作業計画が複数あった場合に、これらの優先順位を表す情報に基づいてその着手順を調整することができる。
【００２７】
（５）  着手済の作業計画を示すデータの入力を受け付ける手段を更に備え、
前記出力（表示）する手段は、受け付けた前記着手済の作業計画を示すデータに基づいて、着手済の在庫数量を表すデータを演算し、更に、使用可能な在庫数量を表すデータを、全在庫数量から前記着手済の在庫数量を減じることにより算出し、
記憶した前記生産計画データと、受け付けた前記作業実績データと、算出した前記使用可能な在庫数量を表すデータと、に基づいて、所定の時期において着手予定となっている作業計画を表すデータと、前記作業計画の着手可否を表すデータと、を演算して出力（表示）する（１）から（４）のいずれかに記載の生産管理システム。
【００２８】
本発明のこのような構成によれば、前記生産管理システムは、着手済の作業計画を示すデータの入力を受け付け、受け付けた前記着手済の作業計画を示すデータに基づいて、着手済の在庫数量を表すデータを演算し、更に、使用可能な在庫数量を表すデータを、全在庫数量から前記着手済の在庫数量を減じることにより算出し、記憶した前記生産計画データと、受け付けた前記作業実績データと、前記算出した前記使用可能な在庫数量を表すデータと、に基づいて、所定の時期において着手予定となっている作業計画を表すデータと、前記作業計画の着手可否を表すデータと、を演算して出力（表示）する。
【００２９】
このことにより、前記生産管理システムは、受け付けた前記着手済の作業計画を示すデータに基づいて、着手済の在庫数量を表すデータを演算し、更に、使用可能な在庫数量を表すデータを、全在庫数量から前記着手済の在庫数量を減じ、着手可否の演算に反映することができる。具体的には、例えば、一つの部品を共通して使用（共通部品）する作業計画が２つ以上あったとする。そして、それぞれは１個分の作業を行うには、その共通部品を１個使用し、また、それぞれの作業計画が１００、共通して使用する部品の在庫も１００あった場合を考える。片一方の作業計画を６３個着手すると、共通して使用する部品のうち他の作業で使用できる在庫が減り３７個になるため、他の作業計画は３７個分しか着手出来ない。このような場合には、実際に当該在庫をピックアップする前であっても、着手済の作業計画として数量６３の使用の入力を受け付けたことに応じて、前記着手済の作業計画で使用する数量６３を控除して数量３７の在庫があるものとして、使用可能な在庫数量として３７を出力（表示）する。
【００３０】
その結果、管理者は、このような資材の競合が起こった場合にも、着手済の作業計画を入力することにより、的確に使用する在庫を確保しつつ、競合先の管理者も的確にその旨を知ることができる。
【００３１】
（６）  所定の期間において作業を実施すべき時間を指定する目標作業消化時間を表すデータの入力を受け付ける手段を更に備え、
前記出力（表示）する手段は、受け付けた前記目標作業消化時間を表すデータに基づいて、前記生産計画において前記所定の期間に着手予定となる作業計画について、指定された前記目標作業消化時間を満足するように再演算を行い、前記所定の時期において着手予定となっている作業計画を表すデータと、前記作業計画の着手可否を表すデータと、を演算して出力する（１）から（５）のいずれかに記載の生産管理システム。
【００３２】
本発明のこのような構成によれば、前記生産管理システムは、所定の期間において作業を実施すべき時間を指定する目標作業消化時間を表すデータの入力を受け付け、受け付けた前記目標作業消化時間を表すデータに基づいて、前記生産計画において前記所定の期間に着手予定となる作業計画について、指定された前記目標作業消化時間を満足するように再演算を行い、前記所定の時期において着手予定となっている作業計画を表すデータと、前記作業計画の着手可否を表すデータと、を演算して出力する。
【００３３】
このことにより、前記生産管理システムは、入力を受け付けた目標作業消化時間に応じて前記所定の期間に着手予定となる作業計画について、指定された前記目標作業消化時間を満足するように再演算を行い、前記所定の時期において着手予定となっている作業計画を表すデータと、前記作業計画の着手可否を表すデータと、を演算し、その結果を管理者に提供することができる。
【００３４】
その結果、前記管理者は、目標作業消化時間を指定することにより、前記所定の期間に着手予定となる作業計画を目標作業消化時間に応じて再演算した場合に着手すべき作業計画に関する情報を的確に認識することができる。なお、この目標作業消化時間は、前記生産管理システムのユーザである管理者が、生産計画上の所定の期間における作業時間の平均値や、設備能力や、作業担当者の人的能力等を勘案しながら決定すればよい。
【００３５】
（７）  複数の作業計画の着手予定時期を表すデータを含んで構成し、生産計画を表す生産計画データを記憶する手段を備える生産管理システムが生産管理を行う方法であって、
前記作業計画の実績を示す作業実績データの入力を受け付けるステップと、
記憶した前記生産計画データと、受け付けた前記作業実績データと、に基づいて、所定の時期において着手予定となっている作業計画を表すデータと、前記作業計画の着手可否を表すデータと、を演算して出力（表示）するステップとを含む方法。
【００３６】
本発明のこのような構成によれば、前記生産管理システムは、前記作業計画の実績を示す作業実績データの入力を受け付け、記憶した前記生産計画データと、受け付けた前記作業実績データと、に基づいて、所定の時期において着手予定となっている作業計画を表すデータと、前記作業計画の着手可否を表すデータと、を演算して出力（表示）する。
【００３７】
（８）  複数の作業計画の着手予定時期を表すデータを含んで構成し、生産計画を表す生産計画データを記憶する手段を備える生産管理システムに生産管理を行わせるプログラムであって、
前記作業計画の実績を示す作業実績データの入力を受け付けるステップと、
記憶した前記生産計画データと、受け付けた前記作業実績データと、に基づいて、所定の時期において着手予定となっている作業計画を表すデータと、前記作業計画の着手可否を表すデータと、を演算して出力（表示）するステップとを実行させるプログラム。
【００３８】
本発明のこのような構成によれば、前記生産管理システムは、前記作業計画の実績を示す作業実績データの入力を受け付け、記憶した前記生産計画データと、受け付けた前記作業実績データと、に基づいて、所定の時期において着手予定となっている作業計画を表すデータと、前記作業計画の着手可否を表すデータと、を演算して出力（表示）する。
【発明の効果】
【００３９】
本発明によれば、前記生産管理システムは、前記作業計画の実績を示す作業実績データの入力を受け付け、記憶した前記生産計画データと、受け付けた前記作業実績データと、に基づいて、所定の時期において着手予定となっている作業計画を表すデータと、前記作業計画の着手可否を表すデータと、を演算して出力（表示）する。このことにより、前記生産管理システムは、入力を受け付けた作業実績データに応じて、着手予定となっている作業計画が着手可能か否かの情報を管理者に提供することができる。
【発明を実施するための最良の形態】
【００４０】
以下、本発明を実施するための好適な形態について図を参照しながら説明する。なお、これはあくまでも一例であって、本発明の技術的範囲はこれに限られるものではない。
【００４１】
図１は本発明の好適な実施形態の一例に係る生産管理システム１の構成を示すブロック図である。図２は、本発明の好適な実施形態の一例に係る生産管理システム１を構成するコンピュータの構成を示すブロック図である。図３は本発明の好適な実施形態の一例に係る生産管理システム１の機能構成を示すブロック図である。図４は図３に示す生産管理システム１による着手可否シンボル表示処理の流れを示すフローチャートである。図５は図３に示す生産管理システム１による表示画面の一例を示す図である。図６は本発明の好適な実施形態の一例に係る生産管理システム１の機能構成を示すブロック図である。図７は図６に示す生産管理システム１による着手可否シンボル表示処理（作業計画分類表示付）の流れを示すフローチャートである。図８は図６に示す生産管理システム１による表示画面の一例を示す図である。図９は本発明の好適な実施形態の一例に係る生産管理システム１の機能構成を示すブロック図である。図１０は図９に示す生産管理システム１による着手可否シンボル表示処理（優先順位表示付）の流れを示すフローチャートである。図１１は図９に示す生産管理システム１による表示画面の一例を示す図である。図１２は本発明の好適な実施形態の一例に係る生産管理システム１の機能構成を示すブロック図である。図１３は図１２に示す生産管理システム１による着手可否シンボル表示処理（着手済作業計画反映）の流れを示すフローチャートである。図１４は図１２に示す生産管理システム１による表示画面の一例を示す図である。図１５は本発明の好適な実施形態の一例に係る生産管理システム１の機能構成を示すブロック図である。図１６は図１５に示す生産管理システム１による着手可否シンボル表示処理の流れを示すフローチャートである。図１７は図１５に示す生産管理システム１による作業の平準化のイメージを示す図である。図１８は図１５に示す生産管理システム１による表示画面の一例を示す図である。
【００４２】
図１に示すように、サーバ１０、端末２０がインターネット、公衆回線、専用線等により実現する通信ネットワーク３０により通信可能に接続されて、本発明の好適な実施形態の一例に係る生産管理システム１を構成する。なお、生産管理システム１は、通信ネットワーク３０を介さず１台のコンピュータにより実現してもよいが、このように通信ネットワーク３０により通信可能に接続することにより、端末２０を各生産現場に配置し、各管理者がそれぞれ端末２０にアクセス可能となる点で好適である。
【００４３】
図２に示すように、制御部１１０、入力部１２０、表示部１３０、記憶部１４０、通信インターフェイス部１５０がバス１６０により接続されてサーバ１０を構成する。
【００４４】
制御部１１０はＣＰＵ（Ｃｅｎｔｒａｌ  Ｐｒｏｃｅｓｓｉｎｇ  Ｕｎｉｔ）により構成してよく、サーバ１０全体を制御し、例えば、記憶部１４０に記憶されたプログラムを読み出して実行することにより、これらのハードウエアと協働して後述する各種手段を実現している。
【００４５】
記憶部１４０はハードディスクまたは半導体メモリ等で実現することができる。入力部１２０は、キーボード、マウス、等で実現することができる。表示部１３０は液晶ディスプレイ、ブラウン管ＣＲＴ等により実現することができる。通信インターフェイス部１５０は、ＬＡＮアダプタ、モデムアダプタ等により実現することができる。
【００４６】
同様に、制御部２１０、入力部２２０、表示部２３０、記憶部２４０、通信インターフェイス部２５０がバス２６０により接続されて端末２０を構成する。また、端末２０は、サーバ１０と同様の構成により実現することができる。
［実施例１］
【００４７】
図３に示すように、入力部２２０は、作業実績データ入力受付手段２０１を構成する。また、記憶部１４０は、生産計画データ４０１及び作業実績データ４０２を記憶する。また、制御部１１０は、着手予定作業計画抽出手段１０１及び着手可否判定手段１０２を構成する。また、表示部２３０は、着手予定作業計画表示手段３０１及び着手可否シンボル表示手段３０２を構成する。
【００４８】
図４に示すように、生産管理システム１の端末２０の入力部２２０が構成する作業実績データ入力受付手段２０１は、管理者（ユーザ）からの作業実績データの入力を受け付ける（ステップＳ１１０）。
【００４９】
次に、サーバ１０の制御部１１０が構成する着手予定作業計画抽出手段１０１は、サーバ１０の記憶部１４０に記憶した生産計画データ４０１に基づいて、着手予定作業計画を抽出すると共に、サーバ１０の制御部１１０が構成する着手可否判定手段１０２は、サーバ１０の記憶部１４０に記憶した生産計画データ４０１及び作業実績データ４０２に基づいて、着手可否を判定する（ステップＳ１２０）。
【００５０】
次に、端末２０の表示部２３０が構成する着手予定作業計画表示手段３０１は、着手予定となっている作業計画を示すデータをサーバ１０から受信して表示すると共に、表示部２３０が構成する着手可否シンボル表示手段３０２は、着手可否を表すデータをサーバ１０から受信して表示する（ステップＳ１３０）。
【００５１】
このように、生産管理システム１は、管理者（ユーザ）から終了操作を受け付けるまで、ステップＳ１１０乃至ステップＳ１３０を繰り返し実行する（ステップＳ１４０）。
【００５２】
図５に示すように、表示部２３０は、着手予定作業計画及び着手可否を表すシンボルを表示する。この図では、例えば、注番「ＣＣ０００１」の「支給」作業計画（工程；「名称」カラム）、注番「ＣＣ０００２」の「支給」作業計画（工程；「名称」カラム）、注番「ＷＷ０００５」の「溶接Ｂ１」作業計画（工程；「名称」カラム）、及び注番「ＸＸ０００４」の「購入品Ｘ」作業計画（工程；「名称」カラム）が着手可能であり（○）、注番「ＷＷ０００４」の「溶接Ｂ１」作業計画（工程；「名称」カラム）が一部着手可（△；数量３７について）であることが、一目で認識できるように表示されている。
【００５３】
管理者（ユーザ）は、この画面を見て、着手可能な作業計画（工程；「名称」カラム）を即座に認識し、担当作業計画（工程）を実施することができる。
［実施例２］
【００５４】
図６に示すように、入力部２２０は、作業実績データ入力受付手段２０１及び作業計画分類データ入力受付手段２０２を構成する。また、記憶部１４０は、生産計画データ４０１、作業実績データ４０２、及び作業計画分類データ４０３を記憶する。また、制御部１１０は、着手予定作業計画抽出手段１０１、着手可否判定手段１０２、及び作業計画分類判定手段１０３を構成する。また、表示部２３０は、着手予定作業計画表示手段３０１、着手可否シンボル表示手段３０２、及び作業計画分類表示手段３０３を構成する。
【００５５】
図７に示すように、生産管理システム１の端末２０の入力部２２０が構成する作業実績データ入力受付手段２０１は、管理者（ユーザ）からの作業実績データの入力を受け付ける（ステップＳ２１０）と共に、作業計画分類データ入力受付手段２０２は、管理者（ユーザ）からの、作業計画の作業の性質を表す作業計画分類データの入力を受け付ける（ステップＳ２２０）。
【００５６】
具体的には、例えば、図８に示すような画面を表示して、作業計画（工程）分類データの入力を受け付ける。この図の例では、アイテムコードの２文字目の１文字によって色を指定することになっている。例えば、「ＣＬ＋１」の分類（アイテムコードの２文字目が「１」）の場合、「ＣＬ＋２」の分類（アイテムコードの２文字目が「２」）の場合、・・・といったように、それぞれユニークな色を指定する。
【００５７】
次に、サーバ１０の制御部１１０が構成する着手予定作業計画抽出手段１０１は、サーバ１０の記憶部１４０に記憶した生産計画データ４０１に基づいて、着手予定作業計画を抽出すると共に、サーバ１０の制御部１１０が構成する着手可否判定手段１０２は、サーバ１０の記憶部１４０に記憶した生産計画データ４０１及び作業実績データ４０２に基づいて、着手可否を判定し、更に、作業計画分類判定手段１０３は、着手予定作業計画抽出手段１０１が抽出した着手予定作業計画の作業計画分類を判定する（ステップＳ２３０）。
【００５８】
次に、端末２０の表示部２３０が構成する着手予定作業計画表示手段３０１は、着手予定となっている作業計画を示すデータをサーバ１０から受信して表示すると共に、表示部２３０が構成する着手可否シンボル表示手段３０２は、着手可否を表すデータをサーバ１０から受信して表示する（ステップＳ２４０）。
【００５９】
その結果、図１４に示すような画面が表示され、「アイテムコード」カラムに示すように各指定された色が各セルに表示される。管理者（ユーザ）は、この画面を見て、着手可能な作業計画（工程；「名称」カラム）のうち、同時に着手すると効率的に作業を進められる作業計画（工程；「名称」カラム）を即座に認識し、担当作業計画（工程；「名称」カラム）を実施することができる。具体的には、例えば同色で表示されているアイテムコードの２文字目が「１」の作業計画（工程；「名称」カラム）に同時に着手する。
【００６０】
このように、生産管理システム１は、管理者（ユーザ）から終了操作を受け付けるまで、ステップＳ２１０乃至ステップＳ２４０を繰り返し実行する（ステップＳ２５０）。
［実施例３］
【００６１】
図９に示すように、入力部２２０は、作業実績データ入力受付手段２０１及び優先順位データ入力受付手段２０３を構成する。また、記憶部１４０は、生産計画データ４０１、作業実績データ４０２、及び優先順位データ４０４を記憶する。また、制御部１１０は、着手予定作業計画抽出手段１０１、着手可否判定手段１０２、及び優先順位データ抽出手段１０４を構成する。また、表示部２３０は、着手予定作業計画表示手段３０１、着手可否シンボル表示手段３０２、及び優先順位表示手段３０４を構成する。
【００６２】
図１０に示すように、生産管理システム１の端末２０の入力部２２０が構成する作業実績データ入力受付手段２０１は、管理者（ユーザ）からの作業実績データの入力を受け付ける（ステップＳ３１０）と共に、優先順位データ入力受付手段２０３は、管理者（ユーザ）からの優先順位データの入力を受け付ける（ステップＳ３２０）。
【００６３】
具体的には、例えば、「優先１」、「優先２」、・・・等の様に優先順位を示す文字の入力を受け付ける。或いは、「緊急対応要」、「急げ」等の様に、優先順位を上げる指示を示す文字の入力受け付けてもよい。
【００６４】
次に、サーバ１０の制御部１１０が構成する着手予定作業計画抽出手段１０１は、サーバ１０の記憶部１４０に記憶した生産計画データ４０１に基づいて、着手予定作業計画を抽出すると共に、サーバ１０の制御部１１０が構成する着手可否判定手段１０２は、サーバ１０の記憶部１４０に記憶した生産計画データ４０１及び作業実績データ４０２に基づいて、着手可否を判定し、更に、優先順位データ抽出手段１０４は、着手予定作業計画抽出手段１０１が抽出した着手予定作業計画の優先順位データを抽出する（ステップＳ３３０）。
【００６５】
次に、端末２０の表示部２３０が構成する着手予定作業計画表示手段３０１は、着手予定となっている作業計画を示すデータをサーバ１０から受信して表示すると共に、表示部２３０が構成する着手可否シンボル表示手段３０２は、着手可否を表すデータをサーバ１０から受信して表示し、表示部２３０が構成する優先順位表示手段３０４は、優先順位データをサーバ１０から受信して表示する（ステップＳ３４０）。
【００６６】
その結果、図１１に示すような画面が表示され、「伝言」カラムに示すように各指定された優先順位を表す文字が各セルに表示される。管理者（ユーザ）は、この画面を見て、着手可能な作業計画（工程；「名称」カラム）のうち、優先順位を上げるべき作業計画（工程；「名称」カラム）を即座に認識し、担当作業計画（工程；「名称」カラム）を実施することができる。具体的には、例えば「伝言」カラムに「優先１」が表示されている注番「ＣＣ０００１」の「支給」作業計画（工程；「名称」カラム）を１番に実施し、次に、着手可能でかつ優先順位高い注番「ＣＣ０００２」の「支給」作業計画（工程；「名称」カラム）を２番に実施する。なお、注番「ＷＷ０００１」の「加工Ａ２」作業計画（工程；「名称」カラム）は、優先順位は高いが、着手できない（×）状況であることがわかる。
【００６７】
このように、生産管理システム１は、管理者（ユーザ）から終了操作を受け付けるまで、ステップＳ３１０乃至ステップＳ３４０を繰り返し実行する（ステップＳ３５０）。
［実施例４］
【００６８】
図１２に示すように、入力部２２０は、作業実績データ入力受付手段２０１及び着手済作業計画データ入力受付手段２０４を構成する。また、記憶部１４０は、生産計画データ４０１、作業実績データ４０２、及び着手済作業計画データ４０５を記憶する。また、制御部１１０は、着手予定作業計画抽出手段１０１及び着手可否判定手段１０２を構成する。また、表示部２３０は、着手予定作業計画表示手段３０１及び着手可否シンボル表示手段３０２を構成する。
【００６９】
図１３に示すように、生産管理システム１の端末２０の入力部２２０が構成する作業実績データ入力受付手段２０１は、管理者（ユーザ）からの作業実績データの入力を受け付ける（ステップＳ４１０）と共に、着手済作業計画データ入力受付手段２０４は、管理者（ユーザ）からの着手済作業計画データの入力を受け付ける（ステップＳ４２０）。
【００７０】
具体的には、例えば、同一の資材の在庫を使用する複数の作業計画が着手可能である場合において、当該資材のピックアップを行う前に、各生産現場において、着手済であることを示す着手済作業計画データの入力を受け付ける。
【００７１】
次に、サーバ１０の制御部１１０が構成する着手予定作業計画抽出手段１０１は、サーバ１０の記憶部１４０に記憶した生産計画データ４０１に基づいて、着手予定作業計画を抽出すると共に、サーバ１０の制御部１１０が構成する着手可否判定手段１０２は、サーバ１０の記憶部１４０に記憶した生産計画データ４０１、作業実績データ４０２、及び着手済作業計画データに基づいて、着手可否を判定する（ステップＳ４３０）。
【００７２】
次に、端末２０の表示部２３０が構成する着手予定作業計画表示手段３０１は、着手予定となっている作業計画を示すデータをサーバ１０から受信して表示すると共に、表示部２３０が構成する着手可否シンボル表示手段３０２は、着手可否を表すデータをサーバ１０から受信して表示する（ステップＳ４４０）。
【００７３】
その結果、図１４に示すような画面が表示され、注番「ＷＷ０００５」の「溶接Ｂ１」作業計画（工程）は、図１１においては着手可（○）であったものが、一部着手可（△；数量３７について）と変化する。管理者（ユーザ）は、この画面を見て、着手可能な作業計画（工程）のうち、資材の競合等により、他の作業計画（工程）に当該資材の在庫の着手が決定されたために一部着手に変更しなければならない作業計画（工程）であることを、当該他の作業計画（工程）の当該在庫のピックアップが行われる前に知ることができる。
【００７４】
このように、生産管理システム１は、管理者（ユーザ）から終了操作を受け付けるまで、ステップＳ４１０乃至ステップＳ４４０を繰り返し実行する（ステップＳ４５０）。
［実施例５］
【００７５】
図１５に示すように、入力部２２０は、作業実績データ入力受付手段２０１及び目標作業消化時間指定データ入力受付手段２０５を構成する。また、記憶部１４０は、生産計画データ４０１、作業実績データ４０２、及び目標作業消化時間指定データ４０６を記憶する。また、制御部１１０は、着手予定作業計画抽出手段１０１及び着手可否判定手段１０２を構成する。また、表示部２３０は、着手予定作業計画表示手段３０１及び着手可否シンボル表示手段３０２を構成する。
【００７６】
図１６に示すように、生産管理システム１の端末２０の入力部２２０が構成する作業実績データ入力受付手段２０１は、管理者（ユーザ）からの作業実績データの入力を受け付ける（ステップＳ５１０）と共に、目標作業消化時間指定データ入力受付手段２０５は、管理者（ユーザ）からの目標作業消化時間指定データの入力を受け付ける（ステップＳ５２０）。
【００７７】
具体的には、例えば、図１８に示すように、「明日から２００６年１２月４日まで」等の期間を指定するデータを目標作業消化時間指定データとして受け付ける。
【００７８】
次に、サーバ１０の制御部１１０が構成する着手予定作業計画抽出手段１０１は、サーバ１０の記憶部１４０に記憶した生産計画データ４０１及び目標作業消化時間指定データ４０６に基づいて、平準化後の着手予定作業計画を抽出すると共に、サーバ１０の制御部１１０が構成する着手可否判定手段１０２は、サーバ１０の記憶部１４０に記憶した生産計画データ４０１及び作業実績データ４０２に基づいて、着手可否を判定する（ステップＳ５３０）。
【００７９】
次に、端末２０の表示部２３０が構成する着手予定作業計画表示手段３０１は、平準化後に着手予定となっている作業計画を示すデータをサーバ１０から受信して表示すると共に、表示部２３０が構成する着手可否シンボル表示手段３０２は、着手可否を表すデータをサーバ１０から受信して表示する（ステップＳ５４０）。
【００８０】
その結果、図１７（ａ）に示すように、平準化前（生産レベル（目標作業消化時間）未設定）においては、毎日の作業時間に繁閑差があったものを、図１７（ｂ）に示すように、平準化後（生産レベル（目標作業消化時間）５時間）においては、作業計画（工程）「５」を第１日から第２日に、また、作業計画（工程）「１３」を第４日から第５日にそれぞれ実施時期を移動することによって、目標作業消化時間を満たすように平準化を実現する。
【００８１】
その結果、管理者（ユーザ）は、この画面を見て、生産計画の遂行に影響のない範囲で、所定の期間において作業を実施すべき時間を指定して作業の平準化を行うために必要な情報を即座に認識し、的確な作業指示を行うことができる。
【００８２】
このように、生産管理システム１は、管理者（ユーザ）から終了操作を受け付けるまで、ステップＳ５１０乃至ステップＳ５４０を繰り返し実行する（ステップＳ５５０）。
【００８３】
以上、本発明の実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【図面の簡単な説明】
【００８４】
【図１】本発明の好適な実施形態の一例に係る生産管理システム１の構成を示すブロック図である。
【図２】本発明の好適な実施形態の一例に係る生産管理システム１を構成するコンピュータの構成を示すブロック図である。
【図３】本発明の好適な実施形態の一例に係る生産管理システム１の機能構成を示すブロック図である。
【図４】図３に示す生産管理システム１による着手可否シンボル表示処理の流れを示すフローチャートである。
【図５】図３に示す生産管理システム１による表示画面の一例を示す図である。
【図６】は本発明の好適な実施形態の一例に係る生産管理システム１の機能構成を示すブロック図である。
【図７】は図６に示す生産管理システム１による着手可否シンボル表示処理（作業計画分類表示付）の流れを示すフローチャートである。
【図８】は図６に示す生産管理システム１による表示画面の一例を示す図である。
【図９】は本発明の好適な実施形態の一例に係る生産管理システム１の機能構成を示すブロック図である。
【図１０】は図９に示す生産管理システム１による着手可否シンボル表示処理（優先順位表示付）の流れを示すフローチャートである。
【図１１】は図９に示す生産管理システム１による表示画面の一例を示す図である。
【図１２】は本発明の好適な実施形態の一例に係る生産管理システム１の機能構成を示すブロック図である。
【図１３】は図１２に示す生産管理システム１による着手可否シンボル表示処理（着手済作業計画反映）の流れを示すフローチャートである。
【図１４】は図１２に示す生産管理システム１による表示画面の一例を示す図である。
【図１５】は本発明の好適な実施形態の一例に係る生産管理システム１の機能構成を示すブロック図である。
【図１６】は図１５に示す生産管理システム１による着手可否シンボル表示処理の流れを示すフローチャートである。
【図１７】は図１５に示す生産管理システム１による作業の平準化のイメージを示す図である。
【図１８】は図１５に示す生産管理システム１による表示画面の一例を示す図である。
【符号の説明】
【００８５】
１  生産管理システム
１０  サーバ
２０  端末
３０  通信ネットワーク
１１０、２１０  制御部
１２０、２２０  入力部
１３０、２３０  表示部
１４０、２４０  記憶部
１５０、２５０  通信インターフェイス
１６０、２６０  バス
【図１】
2008159000.tif 000003
【図２】
2008159000.tif 000004
【図３】
2008159000.tif 000005
【図４】
2008159000.tif 000006
【図５】
2008159000.tif 000007
【図６】
2008159000.tif 000008
【図７】
2008159000.tif 000009
【図８】
2008159000.tif 000010
【図９】
2008159000.tif 000011
【図１０】
2008159000.tif 000012
【図１１】
2008159000.tif 000013
【図１２】
2008159000.tif 000014
【図１３】
2008159000.tif 000015
【図１４】
2008159000.tif 000016
【図１５】
2008159000.tif 000017
【図１６】
2008159000.tif 000018
【図１７】
2008159000.tif 000019
【図１８】
2008159000.tif 000020